(57)【要約】      （修正有）【課題】携帯電話やスマートフォンなどの電子機器を収納可能なケースにおいて、簡易且つ安価な構成で、電子機器への視認性や操作性を維持しつつ、水没による浸水を回避することにより防水性を確保した防水ケースを提供する。【解決手段】透明な防水性のシート部材により袋状に形成され、上部に開口１２を有し、内部に被収納物を収納する袋体１０と、開口１２を閉塞可能なチャックファスナー１１と、袋体１０内部に配置された低密度の浮体１５とを有する。そして、浮体１５は、袋体１０と一体形成され、気体が充填された浮袋１５である。【選択図】図１
0003187455.tif 000002
【実用新案登録請求の範囲】
【請求項１】
透明な防水性シートにより袋状に形成され、上部に開口を有し、内部に被収納物を収納する袋体と、
前記開口を閉塞可能なチャックファスナーと、
前記袋体内部に配置された低密度の浮体と
を有することを特徴とする防水ケース。
【請求項２】
前記浮体は、前記袋体と一体形成され、気体が充填された浮袋であることを特徴とする請求項１に記載の防水ケース。
【請求項３】
前記浮体は、前記被収納物を挟持して前記袋体内部に固定可能な形状なしていることを特徴とする請求項１又は２に記載の防水ケース。
【請求項４】
前記浮体は、前記被収納物を挟むように一対に形成されていることを特徴とする請求項３に記載の防水ケース。
【請求項５】
前記浮体は、前記被収納物に嵌合可能なコの字型をなしていることを特徴とする請求項３に記載の防水ケース。
【請求項６】
前記浮体は、気泡を包含して硬化された合成樹脂素材で形成されていることを特徴とする請求項１乃至５のいずれかに記載の防水ケース。
【請求項７】
前記合成樹脂素材で形成された浮体には、前記被収納物に接続された突起が嵌合される凹部と、前記突起に連結されたケーブルが挿通されるスリットとが形成されていることを特徴とする請求項６に記載の防水ケース。
【請求項８】
前記被収納物は、レンズを通じて光学的に撮像する撮影機能を備えた電子機器であり、前記袋体には、前記電子機器の前記レンズ部分に対応した位置に、前記袋体とは異なる屈折率の板状部が形成されていることを特徴とする請求項１乃至７のいずれかに記載の防水ケース。
【請求項９】
前記被収納物は、レンズを通じて光学的に撮像する撮影機能を備えた電子機器であり、前記袋体には、前記電子機器の前記レンズ部分に対応した位置に、前記袋体よりも低い透光率の板状部が形成されていることを特徴とする請求項１乃至７のいずれかに記載の防水ケース。
【請求項１０】
前記袋体は、その収納部分に内外を連通させる連通孔が形成され、
前記連通孔は、ケーブルが挿通されるとともに、前記連通孔の開口部分において前記ケーブルの外周部分をシールドし、前記連通孔の内外の気密性を維持するシールド部を有し、
前記シールド部は、前記袋体の内側に配置される内側部材と、前記袋体の外側に配置され、前記内側部材に嵌合される外側部材とからなり、これら内側部材及び外側部材は、前記開口部分の外縁を挟み込むようにして嵌合される
ことを特徴とする請求項１乃至９のいずれかに記載の防水ケース。
【請求項１１】
前記浮体は前記被収納物を挟み込むように一対に形成されているとともに、これら一対の浮体で前記被収納物を挟持して前記袋体内部に固定し、
前記一対の浮体の間には、前記連通孔と、前記袋体の外表面に形成された板状部とが配置されている
ことを特徴とする請求項１０に記載の防水ケース。
【請求項１２】
前記袋体の上部開口側の端部には、環状の引掛部が突出されていることを特徴とする請求項１乃至１１のいずれかに記載の防水ケース。
【考案の詳細な説明】
【技術分野】
【０００１】
本考案は、スマートフォン、携帯電話、デジタルカメラなど携帯用の電子機器に対して、水没等による浸水を回避して防水性を確保する防水ケースに関する。
【背景技術】
【０００２】
近年、スマートフォンやタブレットなど携帯可能な電子機器が普及されている。一般にこれらの電子機器には、簡易防水機能を有しているものが提供されているものの、風呂場での電子機器の使用や、アウトドアや海辺での使用では、水を被ったり、水没したりすることがある。
【０００３】
このような状況下でも電子機器を使用することができるように電子機器用の防水ケースが提供されている（例えば、特許文献１）。特許文献１に開示された技術は、二つ折り可能に形成された透明プラスチックシートにより形成され電子機器を膨出凹部に収納保持するブリスタケースと、ブリスタケースの外縁部を挟み込む溝を有する保持フレームとを備える電子機器用の防水ケースである。
【先行技術文献】
【特許文献】
【０００４】
【特許文献１】特開２０１３−１５６３３６号公報
【考案の概要】
【考案が解決しようとする課題】
【０００５】
しかしながら、特許文献１に開示されたような防水ケースは、内部に電子機器を収納した状態では、その比重が水より大きくなってしまう。そのため、例えば、海水浴やプールなどで使用していた場合に誤って利用者の手から落としてしまうと水中に沈んでしまう。このように防水ケースに収納した状態であっても水中に沈んでしまうと水圧によってケース内に水が浸入して、十分な防水性を確保することができないという問題がある。
【０００６】
また、特許文献１に開示された技術では、電子機器の機種毎のサイズに対応した形状のケースを製造する必要があるため、部品点数及び製造工程が増大し、製造コストが増加してしまう問題もある。
【０００７】
そこで、本考案は、上記のような問題を解決するものであり、携帯電話やスマートフォンなどの電子機器を収納可能なケースにおいて、簡易且つ安価な構成で、電子機器への視認性や操作性を維持しつつ、水没による浸水を回避することにより防水性を確保できる防水ケースを提供することを目的とする。
【課題を解決するための手段】
【０００８】
上記課題を解決するために、本考案は、透明な防水性シートにより袋状に形成され、上部に開口を有し、内部に被収納物を収納する袋体と、前記開口を閉塞可能なチャックファスナーと、前記袋体内部に配置された低密度の浮体とを有することを特徴とする。
【０００９】
このような本考案によれば、袋体の開口を閉塞可能なチャックファスナーを備えるとともに、防水ケース内部には低密度の浮体を配置させているので、例えば、電子機器などの被収納物を内部に収納した状態であれば、水中に落としたとしても、防水ケースごと被収納物を水面付近に浮かせることができる。その結果、防水ケースに過度な水圧がかかることを防止でき、水没による浸水を回避して防水性を確保することができる。
【００１０】
なお、ここで、「低密度の浮体」とは、内部に被収納物を収納した状態において、その防水ケースを水面上に浮かすことができる程度の浮力を有する素材であればよく、例えば、袋体と一体形成され、空気その他の気体が充填された浮袋としてもよく、また、海綿質繊維などの天然物、又はポリウレタン等の合成樹脂から形成され内部に細かな孔が無数に開いた多孔質物質（スポンジ）や、気泡を包含して硬化された合成樹脂素材（発砲スチロール）を用いてもよい。
【００１１】
また、本考案によれば、防水性のシート部材を袋状に形成させて、その袋体の内部に被収納物を収納する構成としているため、多少の大きさや形状の違いは融通がきくことから、機種毎にサイズが異なる被収納物に対して同一サイズとすることができ、大きめに製作することで汎用性を持たせることができ、製造コストを低減させることができる。また、本考案において、袋体は透明なシート部材であるため、被収納物の状態をユーザーが目視することができ、内部に被収納物を収納させたまま操作することができる。なお、本考案においてシート部材は、全部又は非被収納物に対応する部分が、その外表面に作用する圧力や静電容量の変化を内表面に伝達可能な素材で形成されており、例えば、ビニールやポリエチレン等の透明な合成樹脂を用いることができる。
【００１２】
上記考案において、浮体は、袋体と一体形成され、気体が充填された浮袋であることが好ましい。この場合には、浮体として、袋体の一部を熱圧着させて内部に気体を充填させた構成とすることができ、部品点数を減らして製造コストを軽減させることができる。
【００１３】
上記考案において、浮体は、被収納物を挟持して袋体内部に固定可能な形状をなしていることが好ましい。この場合には、被収納物を挟持して袋体内部に固定することにより、被収納物が袋体内部で移動してしまうのを防止できるため操作性を向上させることができる。
【００１４】
上記考案において、浮体は、被収納物を挟むように一対に形成されていることが好ましい。この場合には、一対の浮体により被収納物を挟んで固定するため、被収納物が袋体内部で移動してしまうのを防止できるとともに、防水ケースを水に落としても、一対の浮体により防水ケース全体を安定させて水面上に浮かすことができ、より防水性を確保しつつ、被収納物の視認性及び操作性を向上させることができる。
【００１５】
上記考案において、浮体は、被収納物に嵌合可能なコの字型をなしていることが好ましい。この場合、浮体は、被収納物を開口以外の３方向で囲うように形成されているので、コの字型に被収納物を挟み込んで固定することができ、被収納物が袋体内部で移動してしまうのを防止できるとともに、防水ケースを水に落とした場合であっても、より防水ケース全体を安定させて水面上に浮かすことができ、防水性を確保しつつ、被収納物の視認性及び操作性を向上させることができる。
【００１６】
上記発明において、浮体は、気泡を包含して硬化された合成樹脂素材で形成されていることが好ましい。この場合には、例えば、発砲スチロールなど、袋体とは別素材であって浮力を有する部材を浮体としているので、市販の袋体の内部に浮体を収納させることのみで、防水ケース全体に浮力を持たせ、防水ケース全体を安定させて水面上に浮かすことができる。
【００１７】
上記発明において、合成樹脂素材で形成された浮体には、被収納物に接続された突起が嵌合される凹部と、突起に連結されたケーブルが挿通されるスリットとが形成されていることが好ましい。この場合には、浮体には、凹部とスリットとが形成されているので、例えば、イヤホンが接続可能な音楽再生機器を被収納物として収納した際、イヤホンの接続端子などの突起を凹部に嵌合させるとともに、接続端子に連結されたケーブルをスリットに挿通させることで、電子機器にイヤホンを接続させたまま、浮体で被収納物を挟持、又は取り囲むことができる。これにより、本考案によれば、防水ケース全体を安定させて水面上に浮かすことができ、防水性を維持したまま、イヤホンのケーブルを電子機器に接続して音楽を聴くことができる。
【００１８】
上記考案において、被収納物は、レンズを通じて光学的に撮像する撮影機能を備えた電子機器であり、袋体には、電子機器のレンズ部分に対応した位置に、袋体とは異なる屈折率の板状部が形成されていることが好ましい。この場合には、電子機器のレンズに対応した位置に袋体とは異なる屈折率の板状部を貼設するので、被収納物としてレンズを備えた携帯電話やスマートフォン、デジタルカメラ等の電子機器を収納したときには、レンズ部分への光の入射角度や光量を適切にすることができ、電子機器を防水ケース内に収納したまま、適正に撮影を行うことができる。
【００１９】
なお、ここでの板状部としては、袋体と異なる屈折率となる材質であれば種々の素材を用いることができ、透明なアクリルやガラスなど袋体とは異なる素材としてもよく、袋体と同質の素材であってもその厚みや硬度を変えたもの、或いは表面加工処理などを施したものにしてもよい。また、ここでの板状部の形成とは、袋体と別個の部材を接着剤や両面テープで貼り付ける他、熱変形や熱硬化などにより一体的に形成する場合なども含まれる。さらに、この板状部は、袋体の表裏において、レンズ部分に対応した箇所に形成することが好ましい。
【００２０】
上記考案において、被収納物は、レンズを通じて光学的に撮像する撮影機能を備えた電子機器であり、袋体には、電子機器のレンズ部分に対応した位置に、袋体よりも低い透光率の板状部が形成されていることが好ましい。この場合には、電子機器のレンズ部分に対応した位置に、袋体よりも低い透光率の板状部を形成するので、レンズ部分へ外部の光が入射されるのを防ぎ、撮影機能による撮影を禁止することができる。その結果、本考案の防水ケースを配布することにより、海やプール、サウナ、温泉などのように水に濡れやすい場所などでの電子機器の利用を可能とする一方で、撮影機能による盗撮を防止することができる。
【００２１】
なお、ここでの板状部としては、袋体よりも低い透光率の材質であれば種々の素材を用いることができ、着色されたアクリルやガラスなど袋体とは異なる素材としてもよく、袋体と同質の素材であってもその部分に着色や表面加工処理などを施したものにしてもよい。また、この板状部の形成としても、袋体と別個の部材を接着剤や両面テープで貼り付ける他、熱変形や熱硬化などにより一体的に形成したり、インクや染料などを塗布する場合も含まれる。さらに、板状部は、袋体の表裏において、レンズ部分に対応した箇所に形成することが好ましい。
【００２２】
上記考案において、袋体は、その収納部分に内外を連通させる連通孔が形成され、連通孔は、ケーブルが挿通されるとともに、連通孔の開口部分においてケーブルの外周部分をシールドし、連通孔の内外の気密性を維持するシールド部を有し、シールド部は、袋体の内側に配置される内側部材と、袋体の外側に配置され、内側部材に嵌合される外側部材とからなり、これら内側部材及び外側部材は、開口部分の外縁を挟み込むようにして嵌合されることが好ましい。
【００２３】
このような本考案によれば、内外を連通する連通孔にケーブルを挿通させた状態で、当該ケーブルの外周部分をシールド部でシールドして、連通孔の内外の気密性を維持しているので、音楽再生機能を有する電子機器を内部に収納して防水性を維持したまま、イヤホンのケーブルを電子機器に接続して音楽を聴くことができる。特に、本考案によれば、シールド部は、内側部材及び外側部材によって連通孔の開口部分の外縁を挟み込むようにして嵌合されているので、確実に連通孔の内外の気密性を維持することができ、防水性を確保することができる。
【００２４】
上記考案において、浮体は被収納物を挟み込むように一対に形成されているとともに、これら一対の浮体で被収納物を挟持して袋体内部に固定し、一対の浮体の間には、連通孔と、袋体の外表面に形成された板状部とが配置されていることが好ましい。この場合、一対の浮体で被収納物を挟み込んで固定することができ、被収納物が袋体内部で移動してしまうのを防止できるとともに、防水ケースを水に落とした場合であっても、より防水ケース全体を安定させて水面上に浮かすことができる。特に、イヤホンのケーブルを挿通できる連通孔も一対の浮体の間に配置されているので、ケーブルを浮体に貫通させることなく袋体の外部に導出することができ、浮体の強度を保つことができ、水没時の浸水を防止するとともに、カメラ撮影や音楽再生の操作性をより向上させることができる。
【００２５】
上記考案において、袋体の上部開口側の端部には、環状の引掛部が突出されていることが好ましい。この場合には、袋体に環状の引掛部が突出されているので、例えば、当該引掛部にペットボトルの首部分を挿通させることで、販促品として利用することもでき、また、ペットボトルの浮力によって防水ケースの水没をより確実に回避することができる。
【考案の効果】
【００２６】
以上述べたように、この考案によれば、携帯電話やスマートフォンなどの電子機器を収納可能なケースにおいて、簡易且つ安価な構成で、電子機器への視認性や操作性を維持しつつ、水没による浸水を回避することにより防水性を確保できる。
【図面の簡単な説明】
【００２７】
【図１】第１実施形態に係る防水ケースの全体構成を示す模式図である。
【図２】（ａ）は第１実施形態に係る防水ケースを上面より示す模式図であり、同図（ｂ）は、同図（ａ）のＡ−Ａ’断面図である。
【図３】第２実施形態に係る防水ケースの全体構成を示す模式図である。
【図４】（ａ）は第２実施形態に係る防水ケースを上面より示す模式図であり、同図（ｂ）は、同図（ａ）のＢ−Ｂ’断面図である。
【図５】第３実施形態に係る防水ケースの全体構成を示す模式図である。
【図６】（ａ）は第３実施形態に係る防水ケースを上面より示す模式図であり、同図（ｂ）は、同図（ａ）のＣ−Ｃ’断面図である。
【図７】（ａ）は、第４実施形態に係る防水ケースを上面より示す模式図であり、同図（ｂ）は、同図（ａ）のＤ−Ｄ’断面図である。
【図８】（ａ）及び（ｂ）は、変形例に係る防水ケースを上面より示す模式図である。
【図９】変形例に係る防水ケースの使用例を示す説明図である。
【図１０】（ａ）は、変形例に係る防水ケースを上面より示す模式図であり、同図（ｂ）は、浮体の一部を拡大して示す斜視図である。
【考案を実施するための形態】
【００２８】
以下に添付図面を参照して、本考案に係る防水ケースの実施形態を詳細に説明する。なお、各実施形態において、被収納物とは、タッチパネル式モニタを備えたスマートフォンを用いる場合を例にするが、本考案は、これに限定するものではなく、携帯電話、デジタルカメラ、携帯用ゲーム機、ノート側パソコン、液晶テレビなど各種の電子機器に用いることができる。また、各実施形態では、図２（ａ）に示すように、防水ケースを正面視したときを基準として上下左右という方向を示す用語を用いる。上下方向は、袋体の縦方向に一致し、左右方向は、袋体の横幅方向に一致するものとする。
【００２９】
［第１実施形態］
初めに、本考案の第１実施形態について説明する。図１は、第１実施形態に係る防水ケースの全体構成を示す模式図であり、図２（ａ）は第１実施形態に係る防水ケースを上面より示す模式図であり、同図（ｂ）は、同図（ａ）のＡ−Ａ’断面図である。
【００３０】
先ず、防水ケース１の内部に収納される被収納物であるスマートフォン２について説明する。スマートフォン２は、内部にＣＰＵやメモリ等の電子部品を備えており、無線通信を用いてて通話やデータ通信などの通信サービスを移動しつつ受けることができる携帯電子機器であり、ブラウザソフトでモニタ画面２１にＷｅｂページを閲覧可能に表示させるブラウザ機能、カメラレンズ２２を通じて光学的に撮像する撮影するデジタルカメラ機能、音楽データを再生してスピーカー若しくはイヤホンを介して出力する音楽再生機能など、各種の機能が搭載されている。
【００３１】
そして、このスマートフォン２は、薄板状の略矩形をなす硬化プラスチック等の樹脂製や金属製の函体から形成され、その表面には、タッチパネル式モニタ２１、操作ボタン２３及び、カメラレンズ２２などが設けられているとともに、その側面にはイヤホンジャックが設けられている。また、図示していないが、スマートフォン２には、通話や音声再生用のスピーカーも設けられている。なお、本実施形態において、タッチパネル式モニタ２１は、静電容量式のタッチパネルであるものとするが、感圧式であってもよい。
【００３２】
本実施形態に係る防水ケース１は、このようなスマートフォン２を収納するケースであり、図１に示すように、透明なシート部材により袋状に形成され、上部に開口１２を有し、内部に被収納物であるスマートフォン２を収納する袋体１０から構成されている。
【００３３】
袋体１０は、シート部材１０ａ及び１０ｂを重ね合わせ、左右端及び下端を熱圧着等によって固着して形成されている。このシート部材１０ａ、１０ｂは、ポリエチレン、ポリプロピレン、ナイロン、塩化ビニル等の柔軟で防水性又は撥水性を有する合成樹脂から形成されている。また、シート部材１０ａ，１０ｂの素材としては、例えば、延伸フッ素樹脂フィルム、アミノ酸ポリマーコーティング材又はポリウレタン微多孔被膜材等などの、外部からの水は透過させずに、内側から水蒸気などを通しやすくすることができる防水透湿性素材を用いることもできる。
【００３４】
また、このシート部材１０ａ及び１０ｂは、透明又は光透過性のある部材で形成されているとともに、シート部材１０ａ，１０ｂの全部又はスマートフォン２に対応する部分が、その外表面に作用する圧力や静電容量の変化を内表面に伝達可能な素材で形成されており、内部に収納されたスマートフォン２のモニタ画面２１を視認できるとともに外部から操作可能となっている。
【００３５】
袋体１０の上部に形成された開口１２付近には、開口１２を閉塞可能なチャックファスナー１１が形成されている。このチャックファスナー１１は、図２（ａ）及び（ｂ）に示すように、一方のシート部材１０ｂの内面において、袋体１０の横幅方向と平行に延びる凹部１１ｂと、他方のシート部材１０ａの内面において袋体１０の横幅方向と平行に延び、凹部１１ｂに嵌合される凸部１１ａとから構成されており、凹部１１ｂと凸部１１ａとを嵌合させることで、袋体１０の内部が気密となるようになっている。なお、このチャックファスナー１１は、本実施形態に限定するものではなく、袋体１０の内部を気密にすることができればよく、種々の面ファスナーを用いることができる。
【００３６】
また、袋体１０には、シート部材１０ａの内面であって、スマートフォン２のカメラレンズ２２に対応した位置に、袋体１０とは異なる屈折率の板状部１３が貼設されている。本実施形態において、板状部１３は、透明なアクリルやガラスなど袋体１０と異なる屈折率となる材質からなる板状部材が貼り付けられて形成されている。なお、この板状部１３は、袋体１０と異なる屈折率となる材質であれば種々の素材を用いることができ、袋体１０とは異なる素材としてもよく、袋体１０と同質の素材であってもその厚みや硬度を変えたもの、或いは表面加工処理などを施したものにしてもよい。また、ここでの板状部１３の形成とは、袋体１０と別個の部材を接着剤や両面テープで貼り付ける他、熱変形や熱硬化などにより一体的に形成する場合なども含まれる。また、接着剤等を用いて貼り付ける際には、アクリル系粘着材などの再剥離性粘着剤を用いてシート部材１０ａに対して貼り直し可能としてもよい。
【００３７】
そして、本実施形態に係る防水ケース１には、袋体１０内部に配置された低密度の浮体１５を備えている。本実施形態において浮体１５は、袋体１０の下方において袋体１０と一体形成され、空気その他の気体が充填された浮袋である。このような浮体１５は、袋体１０の左右の両端に亘って、シート部材１０ａ，１０ｂを袋体１０の横幅方向と平行に熱圧着させることで、外気との間が遮断されて密閉された空間である気密室１５ａを形成させている。これにより、袋体１０の内部にスマートフォン２を収納させた際における比重が水より小さくなり、防水ケース１を水面に浮かすことができるようになっている。
【００３８】
なお、本実施形態においては、浮体１５は、袋体１０と一体形成され、気体が充填された浮袋を形成させる構成としたが、本考案は、これに限定するものではなく、内部にスマートフォン２を収納した際に水面に浮かすことができればよく、例えば、海綿質繊維などの天然物、又はポリウレタン等の合成樹脂から形成され、内部に細かな孔が無数に開いた多孔質物質（スポンジ）や気泡を包含して硬化された合成樹脂素材（発砲スチロール）などを袋体１０の内部に配置させる構成であってもよい。また、気体とは、例えば、窒素、酸素、及び二酸化炭素等が混在した空気であってもよく、また、空気より比重が少ないヘリウムガスなどを用いてもよい。
【００３９】
（作用・効果）
このような本実施形態によれば、袋体１０の開口１２を閉塞可能なチャックファスナー１１を備えるとともに、防水ケース１内部には低密度の浮体１５を配置させているので、スマートフォン２を内部に収納した状態であれば、水中に落としたとしても、防水ケース１ごとスマートフォン２を水面付近に浮かせることができる。その結果、防水ケース１に過度な水圧がかかることを防止でき、水没による浸水を回避して防水性を確保することができる。特に、本実施形態において、浮体１５は、袋体の一部を熱圧着させて内部に気体を充填させた浮袋であるので、部品点数を減らして製造コストを軽減させることができる。
【００４０】
また、本実施形態によれば、シート部材１０ａ、１０ｂを袋状に形成させて、その袋体１０の内部にスマートフォン２を収納する構成としているため、多少の大きさや形状の違いは融通がきくことから、機種毎にサイズが異なるスマートフォン２に対して同一サイズとすることができ、大きめに製作することで汎用性を持たせることができ、製造コストを低減させることができる。汎用性を持たせ、製造コストを低減させることができる。また、本実施形態において、袋体１０は、透明又は光透過性の部材としているので、スマートフォン２の表示画面をユーザーが目視することができ、内部に被収納物を収納させたまま操作することができる。
【００４１】
さらに、本実施形態によれば、スマートフォン２のカメラレンズ２２に対応した位置に、袋体１０とは異なる屈折率の板状部１３が形成されているので、スマートフォン２を内部にを収納したときには、カメラレンズ２２への光の入射角度や光量を適切にすることができ、スマートフォン２を防水ケース１内に収納したまま、適正に撮影を行うことができる。
【００４２】
［第２実施形態］
次いで、本考案に係る第２実施形態について説明する。本実施形態では、上述した第１実施形態で説明した浮体１５とは異なる構成の袋体を有することを要旨とする。図３は、第２実施形態に係る防水ケースの全体構成を示す模式図であり、図４（ａ）は第２実施形態に係る防水ケースを上面より示す模式図であり、同図（ｂ）は、同図（ａ）のＢ−Ｂ’断面図である。なお、以下の各実施形態において、上述した実施形態と同一の構成要素には同一の符号を付し、その機能等は特に言及しない限り同一であり、その説明は省略する。
【００４３】
本実施形態における防水ケース１ａには、図３に示すように、袋体１０の両端において、スマートフォン２を挟むように一対の浮体１６，１６が形成されている。この浮体１６，１６は、本実施形態においても、袋体１０と一体形成され、気体が充填された浮袋であり、図４（ａ）及び（ｂ）に示すように、袋体１０の両端において、外気との間が遮断されて密閉された気密室１６ａ，１６ｂがそれぞれ形成されている。
【００４４】
この気密室１６ａ，１６ｂは、袋体１０の右側及び左側において、下方の端から上部に向かって一対のシート部材１０ａ，１０ｂを熱圧着させて固着させるとともに、チャックファスナー１１の手前において、袋体１０の右端又は左端に向けて一対のシート部材１０ａ，１０ｂを熱圧着することで形成される。
【００４５】
なお、この際、浮体１６，１６は、スマートフォン２を挟持して袋体内部に固定できるように、気密室１６ａ，１６ｂの横幅を調整した形状となっているものとする。また、袋体１０の内面に貼り付けられる板状部１３は、内部に収納されるスマートフォン２のカメラレンズ２２の位置に対応する箇所に配置される。
【００４６】
（作用・効果）
このような本実施形態によれば、袋体１０の両端に浮体１６，１６がスマートフォン２を挟むように一対に形成されているので、一対の浮体１６，１６によりスマートフォン２を挟んで固定して、スマートフォン２が袋体１０内部で移動してしまうのを防止できるとともに、防水ケース１ａを水に落としても、一対の浮体１６，１６により防水ケース１ａ全体を安定させて水面上に浮かすことができ、より防水性を確保しつつ、被収納物の視認性及び操作性を向上させることができる。
【００４７】
［第３実施形態］
次いで、本考案に係る第３実施形態について説明する。本実施形態では、上述した第１実施形態及び第２実施形態で説明した浮体とは異なる構成を有する浮体を有することを要旨とする。図５は、第３実施形態に係る防水ケースの全体構成を示す模式図であり、図６（ａ）は第３実施形態に係る防水ケースを上面より示す模式図であり、同図（ｂ）は、同図（ａ）のＣ−Ｃ’断面図である。
【００４８】
本実施形態における防水ケース１ｂの浮体１７は、袋体１０と一体形成され、気体が充填された浮袋であり、図５に示すように、スマートフォン２に嵌合可能なコの字型をなしていることを特徴とする。具体的には、図６（ａ）及び（ｂ）に示すように、袋体１０の両端及び下端において、内部に気体が充填された気密室１７ａ〜１７ｃが形成されるように、一対のシート部材１０ａ、１０ｂを熱圧着等で固着して袋体１０と一体形成されている。本実施形態では、右側に形成される気密室１７ｃ、左側に形成される気密室１７ｂ、及び下部に形成される気密室１７ａは、それぞれの内部空間が連通されているものとする。
【００４９】
なお、本実施形態においても、浮体１７は、スマートフォン２を挟持して袋体１０内部に固定可能な形状となるように気密室１７ａ〜１７ｃの幅を調整するものとする。また、袋体１０の内面に貼り付けられる板状部１３は、スマートフォン２のカメラレンズ２２の位置に対応した箇所に配置される。
【００５０】
（作用・効果）
このような本実施形態によれば、袋体１０の両端及び下部に亘って浮体１７がスマートフォン２に嵌合可能なコの字型をなしているので、コの字型にスマートフォン２を挟み込んで固定することができ、スマートフォン２が袋体１０内部で移動してしまうのを防止できるとともに、防水ケース１ｂを水に落とした場合であっても、より防水ケース全体を安定させて水面上に浮かすことができ、防水性を確保しつつ、スマートフォン２の視認性及び操作性を向上させることができる。
【００５１】
［第４実施形態］
次いで、本考案に係る第４実施形態について説明する。本実施形態では、袋体１０の気密性を維持したまま、スマートフォン２に接続されたケーブルを外部に連通させるシールド部３１を設けたことを要旨とする。図７（ａ）は、第４実施形態に係る防水ケースを上面より示す模式図であり、同図（ｂ）は、同図（ａ）のＤ−Ｄ’断面図である。
【００５２】
本実施形態において、防水ケース１ｃには、袋体１０の収納部分に内外を連通させる連通孔１９が形成されている。この連通孔１９は、袋体１０の下端の一部において、下方に突出し、横幅の狭い矩形をなしており、シールド部３１が装着されていない状態では、外部と袋体１０内部の空間とを連通させている。
【００５３】
そして、連通孔１９には、ケーブル３２が挿通されるとともに、連通孔１９の開口部分においては、ケーブル３２の外周部分をシールドし、連通孔１９の内外の気密性を維持するシールド部３１が形成されている。
【００５４】
本実施形態において、シールド部３１は、合成樹脂等で形成されており、図７（ｂ）に示すように、袋体１０の内側に配置される内側部材３１ｂと、袋体１０の外側に配置され、内側部材３１ｂに嵌合される外側部材３１ａとからなり、これら内側部材３１ｂ及び外側部材３１ａは、連通孔１９の開口部分の外縁を挟み込むようにして嵌合される。
【００５５】
また、シールド部３１は、内側部材３１ｂ及び外側部材３１ａが嵌合した際、内部にケーブル３２が挿通可能な貫通孔３４が形成される。この貫通孔３４には、ケーブル３２を挿通させた状態で、粘着性があり被接着材料に接着されるシーリング部材３３（シリコン系樹脂、ウレタン系樹脂、又はアクリル系樹脂など）が注入されており、これにより、貫通孔３４を通じて内外の気密性が維持されるようになっている。なお、連通孔１９以外の下端部分は、シート部材１０ａ，１０ｂが熱圧着等で固着され、袋体１０内部の気密性は維持されている。
【００５６】
貫通孔３４に挿通されるケーブル３２は、イヤホンのケーブルであって、一方の端には、スマートフォン２の出力ジャックに接続される接続端子３２ａが形成され、当該接続端子３２ａは、袋体１０の内部に配置されるようになっている。一方、ケーブル３２の他端には、ケースの外部において、図示しないイヤホンが設けられている。
【００５７】
このような構成により、シールド部３１の貫通孔３４に防水用イヤホンのケーブル３２を差し込み、接続端子３２ａを袋体１０内部に導入させ、その後、スマートフォン２やオーディオ機器の出力ジャックに差し込むことで、機器で再生された音がイヤホンから出力される。
【００５８】
また、本実施形態において、防水ケース１ｃの浮体は、スマートフォン２を挟み込むように一対に形成された浮体１６，１６であり、これら一対の浮体でスマートフォン２を挟持して袋体内部に固定している。そして、一対の浮体１６，１６の間には、連通孔１９と、袋体１０の外表面に貼設された板状部１３とが配置されるようになっている。
【００５９】
（作用・効果）
このような本実施形態に係る防水ケース１ｃでは、袋体１０の内外を連通する連通孔１９にケーブル３２を挿通させた状態で、当該ケーブル３２の外周部分をシールド部３１及びシーリング部材３３でシールドして、連通孔１９の気密性を維持しているので、音楽再生機能を有するスマートフォン２を袋体１０の内部に収納して防水性を維持したまま、イヤホンのケーブル３２をスマートフォン２に接続して音楽を聴くことができる。特に、本実施形態によれば、シールド部３１は、内側部材３１ｂ及び外側部材３１ａによって連通孔１９の開口部分の外縁を挟み込むようにして嵌合されているので、より確実に連通孔１９の内外の気密性を維持することができ、防水性を確保することができる。
【００６０】
また、本実施形態の防水ケース１ｃは、スマートフォン２を挟み込むように一対に形成された浮体１６，１６が形成され、一対の浮体１６，１６の間には、連通孔１９と、袋体１０の外表面に貼設された板状部１３とが配置されるようになっているため、一対の浮体１６，１６でスマートフォン２を挟み込んで固定することができ、スマートフォン２が袋体内部で移動してしまうのを防止できるとともに、防水ケース１ｃを水に落とした場合であっても、より防水ケース１ｃ全体を安定させて水面上に浮かすことができる。特に、イヤホンのケーブル３２を挿通できる連通孔１９も一対の浮体１６，１６の間に配置されているので、ケーブル３２を浮体１６，１６に貫通させることなく袋体１０の外部に導出することができ、浮体１０の強度を保つことができ、水没時の浸水を防止するとともに、カメラ撮影や音楽再生の操作性をより向上させることができる。
【００６１】
［変更例］
なお、上述した各実施形態の説明は、本考案の一例である。このため、本考案は上述した実施形態に限定されることなく、本考案に係る技術的思想を逸脱しない範囲であれば、設計等に応じて種々の変更が可能であることはもちろんである。図８（ａ）及び（ｂ）は、変形例に係る防水ケースを上面より示す模式図であり、図９は、変形例に係る防水ケースの使用例を示す説明図である。
【００６２】
例えば、図８（ａ）及び（ｂ）に示すように、袋体１０の上部開口１２側の端部（チャックファスナー１１を挟んで密閉された空間とは反対側）に、環状の引掛部１８を突出させてもよい。本実施形態において引掛部１８は、シート部材１０ａ及び１０ｂにおける上端の一部を上方に突出させ、突出させた部分の略中心部分にシート部材１０ａ及び１０ｂを貫通する貫通孔１８ａを設けることで形成される。この貫通孔１８ａの形状及び径の大きさは、防水ケースのサイズや、使用用途に応じて種々変更可能となっている。
【００６３】
このような引掛部１８を形成させることで、例えば、図９に示すように、貫通孔１８ａにペットボトル４の首部４１及び蓋４２を挿通させることができるので、防水ケース１ｄ及び１ｅを飲料水の販促品としてユーザーに提供することができ、また、ペットボトル４の浮力によって防水ケース１ｄ及び１ｅの水没をより確実に回避することができる。
【００６４】
なお、本変更例においては、シート部材１０ａ及び１０ｂをそれぞれ貫通する貫通孔１８を１箇所のみ形成させたが、例えば、貫通孔を２箇所形成させて、それらの貫通孔を挿通するショルダー紐を設けたり、貫通孔１８に環状のストラップを挿通させて、防水ケースの所持を簡易にさせることもできる。
【００６５】
また、上述した各実施形態では、透明な板状部１３を配置させたが、例えば、スマートフォン２のカメラレンズ２２に対応した位置に、袋体１０よりも低い透光率の板状部１３ａを貼設することもできる。この場合には、スマートフォン２のカメラレンズ２２に対応した位置に、袋体１０よりも低い透光率の板状部１３ａを形成するので、レンズ部分へ外部の光が入射されるのを防ぎ、撮影機能による撮影を禁止することができる。
【００６６】
その結果、本考案の防水ケースを配布することにより、海やプール、サウナ、温泉などのように水に濡れやすい場所などでのスマートフォン２の利用を可能とする一方で、撮影機能による盗撮を防止することができる。なお、ここでの板状部１３ａとしては、袋体１０よりも低い透光率の材質であれば種々の素材を用いることができ、着色されたアクリルやガラスなど袋体１０とは異なる素材としてもよく、袋体１０と同質の素材であってもその部分に着色や表面加工処理などを施したものにしてもよい。また、この板状部１３ａの形成としても、袋体１０と別個の部材を接着剤や両面テープで貼り付ける他、熱変形や熱硬化などにより一体的に形成したり、インクや染料などを塗布する場合も含まれる。
【００６７】
さらに、上述した実施形態において、浮体１５〜１７は、袋体１０と一体形成され、気体が充填された浮袋であったが、上述したように、内部に細かな孔が無数に開いた多孔質物質（スポンジ）や、気泡を包含して硬化された合成樹脂素材（発砲スチロール）など、袋体１０とは別素材であって浮力を有する部材を用いてもよい。図１０（ａ）は、変更例に係る防水ケース１ｆを上面より示す模式図であり、同図（ｂ）は、浮体１４の一部を拡大して示す斜視図である。
【００６８】
本変更例において、防水ケース１ｆには、図１０（ａ）に示すように、第４実施形態と同様に、袋体１０の下端の一部に連通孔１９が形成され、連通孔１９の開口部分には、連通孔１９の内外の気密性を維持するシールド部３１が形成されている。また、シールド部３１の貫通孔３４には、ケーブル３２が挿通され、シーリング部材３３が注入されることで袋体１０の内外は気密となっている。
【００６９】
一方、袋体１０の内部には、スマートフォン２の左右両側と下方とを囲うように略コの字型の浮体１４が収納されている。この浮体１４は、発泡スチロールなど、気泡を包含して硬化された合成樹脂素材で形成されている。そして、浮体１４には、スマートフォン２の出力ジャックに対応する位置に、スマートフォン２に接続され、突起部分となる接続端子３２ａが嵌合される凹部１４１と、接続端子３２ａに連結されたケーブル３２が挿通されるスリット１４２とが形成されている。
【００７０】
本変形例では、スマートフォン２の下方に出力ジャックが形成されており、浮体１４の下方部分に凹部１４１とスリット１４２とが形成される。凹部１４１は、略コの字型の浮体１４内側部分に形成され、その凹部１４１の一部と連通するスリット１４２は外側部分に設けられている。
【００７１】
凹部１４１は、接続端子３２ａが配置されるように、幅広であって、浮体１４の表面から裏面に亘って中空が形成されてように刳りぬいた形状となっている。一方、スリット１４２は、線状であるケーブルを挿通するものであり、浮体１４の一方の面から略中央部分までの深さに亘って、幅狭のスリット状となっており、浮体１４の一体成形を保つようになっている。またスリット１４２の底部分には、ケーブル３２の断面形状と合致するように断面円形の筒状部１４３が形成されている。
【００７２】
このような本変更例によれば、浮体１４として、袋体１０とは別素材であって浮力を有する発砲スチロールを用いているため、市販されている袋体１０の内部に浮体１４を収納させることのみで、防水ケース１ｆ全体に浮力を持たせ、防水ケース１ｆ全体を安定させて水面上に浮かすことができる。
【００７３】
さらに、本変更例によれば、浮体１４には、スマートフォン２に接続された接続端子２３ａが嵌合される凹部１４１と、接続端子３２ａに連結されたケーブル３２が挿通されるスリット１４２とが形成されているので、出力ジャックを有するスマートフォン２にイヤホンを接続した状態で、浮体１４でスマートフォン２を３方向から取り囲んで固定させることができる。これにより、本変更例によれば、防水ケース１ｆ全体を安定させて水面上に浮かすことができ、防水性を維持したまま、イヤホンのケーブルをスマートフォン２に接続して音楽を聴くことができる。
【００７４】
なお、本変更例において、凹部１４１及びスリット１４２の位置と、連通孔１９との位置とは、接続端子３２ａの同軸上に形成させたが、本考案はこれに限定するものではなく、凹部１４１及びスリット１４２とが出力ジャックの位置に対応して形成されていればよく、凹部１４１及びスリット１４２の位置と、連通孔１９との位置とは変更可能である。さらに、各実施形態に係る防水ケースのサイズは任意であり、また、例えば、袋体１０の横幅が縦幅よりも長くするなど、その形状についても、任意に変更可能である。
【符号の説明】
【００７５】
１，１ａ，１ｂ，１ｃ，１ｄ，１ｅ，１ｆ…防水ケース
２…スマートフォン
４…ペットボトル
１０…袋体
１０ａ，１０ｂ…シート部材
１１…チャックファスナー
１１ａ…凸部
１１ｂ…凹部
１２…開口
１３，１３ａ…板状部
１４，１５、１６，１７…浮体
１５ａ，１６ａ，１６ｂ，１７ａ〜１７ｃ…気密室
１８…引掛部
１８ａ…貫通孔
１９…連通孔
２１…モニタ画面
２２…カメラレンズ
２３…操作ボタン
３１…シーリング部材
３２…ケーブル
３２ａ…接続端子
３３…シーリング部材
３４…貫通孔
４１…首部
４２…蓋
１４１…凹部
１４２…スリット
１４３…筒状部
【図１】
0003187455.tif 000003
【図２】
0003187455.tif 000004
【図３】
0003187455.tif 000005
【図４】
0003187455.tif 000006
【図５】
0003187455.tif 000007
【図６】
0003187455.tif 000008
【図７】
0003187455.tif 000009
【図８】
0003187455.tif 000010
【図９】
0003187455.tif 000011
【図１０】
0003187455.tif 000012